(57)【要約】【課題】高齢者等でも微妙な点眼操作が容易となり、また手のひらで包み込むようにすれば手全体で力加減を行うことができる点眼補助具を提供する。【解決手段】支点部と、作用点部と、前記支点部と前記作用点部の距離よりも前記支点部からの距離が大きい力点部を有する押圧翼と、ボトル保持部とを備え、前記力点部に力を加えることにより、作用点部からボトル保持部に保持された薬液瓶に、加えた力よりも大きな力が加わることを特徴とする点眼補助具。【選択図】図２４
2018061623.tif 000002
【特許請求の範囲】
【請求項１】
支点部と、作用点部と、前記支点部と前記作用点部の距離よりも前記支点部からの距離が大きい力点部を有する押圧翼と、
ボトル保持部とを備え、
前記力点部に力を加えることにより、作用点部からボトル保持部に保持された薬液瓶に、加えた力よりも大きな力が加わることを特徴とする点眼補助具。
【請求項２】
前記ボトル保持部は、複数の保持片を備え、前記保持片が薬液瓶の首部を周囲から押さえつけることにより、薬液瓶を保持することを特徴とする請求項１に記載の点眼補助具。
【請求項３】
前記作用点部が動くことにより描かれる弧を含む面と、前記複数の保持片が形成する面とが略平行であることを特徴とする請求項２に記載の点眼補助具。
【請求項４】
弾性を有する複数の保持片を有し、前記保持片が薬液瓶の首部を周囲から押さえつけることにより、薬液瓶を保持するボトル保持部を備えたことを特徴とする請求項２または３に記載の点眼補助具。
【請求項５】
前記ボトル保持部は、円筒状本体を備え、前記保持片は、その一辺を円筒状本体と接続され、他の辺が薬液ボトルの首部に当接されることを特徴とする請求項２から４のいずれかに記載の点眼補助具。
【請求項６】
前記円筒状本体は、その内面が多段に形成されていることを特徴とする請求項５に記載の点眼補助具。
【請求項７】
前記ボトル保持部は、さらにまぶた周辺に当接されるサポート部を備えたことを特徴とする請求項１から６のいずれかに記載の点眼補助具。
【発明の詳細な説明】
【技術分野】
【０００１】
本発明は、目薬容器を用いて目薬を注す際に用いる点眼補助具に関するものである。
【背景技術】
【０００２】
国内の眼科患者数は年々増加しており、白内障や緑内障、加齢性の眼底疾患、糖尿病などの成人病による眼疾患は高齢社会の進展に伴ってますます増加し続けるものと予測される。
さらにドライアイ、眼精疲労など眼関連症状を有する人口は増加しており、薬店などで点眼薬を購入し、利用する利用者は今後さらに増大することが予想されている。
ちなみに、現在の眼科の薬物治療はほとんどが点眼薬を用いて行われている。さらに多くの患者は複数の点眼薬を利用している。現在、下記に示すような点眼補助具は複数種あるが、複数の点眼瓶に対応しているものは非常に少なく、また点眼薬の利用者として指の不自由な利用者や、指先の力加減が難しくなっている高齢者も多い。これら身体的条件の異なる様々な利用者において正確な点眼薬の滴下が可能である補助具はほとんど存在しない。
【０００３】
以下に、従来提案された種々の点眼補助具について示す。
例えば特開２０１５−２０５０５８号公報（特許文献１参照）には、上側開孔部に点眼瓶を着脱自在に挿着し、該点眼瓶から目薬液を眼球に滴下させる際の補助を行う点眼補助具であって、上側開孔部を有する上側部材と、上側部材よりも低弾性である下側部材とを備え、上側部材と下側部材は、夫々の中央に有する貫通孔を連通させるように一体化されており、点眼補助具は、点眼瓶を介した被押圧による、上側開孔部の下部の口径拡がりを規制する規制部を有する点眼補助具が提案されている。
【０００４】
また特開２００７−２４４５１０号公報（特許文献２参照）には、補助具本体と保持部から構成され、本体には瞼周辺に当接される下側開口部と、点眼瓶の首部を挿着する上側開口部が貫通して形成されており、保持部は２片の弾性板材から構成され、本体の上側開口部の肩部分から立設していて、保持部が点眼瓶の胴部を把持し、安定させるようにした点眼補助具が提案されている。
【０００５】
特開２００７−２１５９６２号公報（特許文献３参照）には、目薬容器と、環状に形成した周側枠の外周前後方向に片持ち軸を突設するとともに、目薬容器を倒立姿勢で支持しその下向きの滴下ノズルが周側枠の内側を貫通するように装着させることのできる基枠体と、上半部は押圧片を有する押圧操作部となし、中間部は前記環状の周側枠を抱え込むことができ且つ前記片持ち軸に枢着できる枢着部を有する揺動基部となし、下半部は滴下ノズルが嵌合し得るキャップ形状の凹部を有する開閉下脚部を形成し、その下には外側に反り返るように形成された瞼当て部を設けてなる左右一対の揺動部材と、一対の発条とからなる目薬点眼補助具が提案されている。
【先行技術文献】
【特許文献】
【０００６】
【特許文献１】特開２０１５−２０５０５８号公報
【特許文献２】特開２００７−２４４５１０号公報
【特許文献３】特開２００７−２１５９６２号公報
【発明の概要】
【発明が解決しようとする課題】
【０００７】
しかしながら前記従来の点眼補助具においては、目薬容器の胴部を押圧する手段が引用文献２のように、ほぼ指の押圧力のみの直接的な機構が採用されており、指で押圧するのに微妙な力加減を必要としており、指の不自由な利用者や指先の力加減の困難な人や高齢者では自由に使えないという問題点があったのである。
また、眼病治療のための目薬は薬の成分が強いために目に正確に１滴を点眼することが早期治療となるのであり、より精度よく１滴分のみ押圧して点眼することが望まれていた。
【０００８】
本発明は上記の様な問題点を解消するためになされたものであって、その目的は、目薬容器の押圧手段を「てこの原理」を利用したものとして、高齢者等でも微妙な点眼操作が容易となり、また手のひらで包み込むようにすれば手全体で力加減を行うことができて非常に使いやすい点眼補助具を提供することを目的とする。
【課題を解決するための手段】
【０００９】
すなわち本発明に係る点眼補助具は、
支点部と、作用点部と、前記支点部と前記作用点部の距離よりも前記支点部からの距離が大きい力点部を有する押圧翼と、
ボトル保持部とを備え、
前記力点部に力を加えることにより、作用点部からボトル保持部に保持された薬液瓶に、加えた力よりも大きな力が加わることを特徴とするものである。
【００１０】
本発明の点眼補助具において、前記ボトル保持部は、複数の保持片を備え、前記保持片が薬液瓶の首部を周囲から押さえつけることにより、薬液瓶を保持することをも特徴とするものである。
【００１１】
本発明の点眼補助具において、前記作用点部が動くことにより描かれる弧を含む面と、前記複数の保持片が形成する面とが略平行であることをも特徴とするものである。
【００１２】
本発明の点眼補助具において、弾性を有する複数の保持片を有し、前記保持片が薬液瓶の首部を周囲から押さえつけることにより、薬液瓶を保持するボトル保持部を備えたことをも特徴とするものである。
【００１３】
本発明の点眼補助具において、前記ボトル保持部は、円筒状本体を備え、前記保持片は、その一辺を円筒状本体と接続され、他の辺が薬液ボトルの首部に当接されることをも特徴とするものである。
【００１４】
本発明の点眼補助具において、前記円筒状本体は、その内面が多段に形成されていることをも特徴とするものである。
【００１５】
本発明の点眼補助具において、前記ボトル保持部は、さらにまぶた周辺に当接されるサポート部を備えたことをも特徴とするものである。
【発明の効果】
【００１６】
本発明に係る点眼補助具によれば、前記従来の点眼補助具のようなほぼ指の押圧力のみの直接的な機構ではなく、目薬容器の押圧手段を「てこの原理」を利用したものとして、指の不自由な利用者や指先の力加減のし難くなっている高齢者でも難なく使用することができるようになった。
また、目薬容器の押圧手段を「てこの原理」を利用したものであるばかりか、手のひらで包み込むように使用することができるため、手全体で力加減を行うことができて指先の力加減のし難くなっている高齢者であっても非常に使いやすい点眼補助具を提供することが可能となった。
【図面の簡単な説明】
【００１７】
【図１】本発明の点眼補助具の１実施例を表すものであり、リング状ガイドの正面図である。
【図２】その中央切断正面図である。
【図３】リング状ガイドの斜視図である。
【図４】その中央切断斜視図である。
【図５】その平面図である。
【図６】その底面図である。
【図７】ボトル保持部の斜視図である。
【図８】その中央切断斜視図である。
【図９】リング状ガイドの内側にボトル保持部を装着した状態の斜視図である。
【図１０】その中央切断斜視図である。
【図１１】（ａ）は押圧翼の側面図、（ｂ）は反対側の面を示す側面図である。
【図１２】（ａ）は押圧翼の正面図、（ｂ）はその背面図である。
【図１３】押圧翼の斜視図である。
【図１４】押圧翼を反対側から見た斜視図である。
【図１５】リング状ガイドと押圧翼を組み付けようとする状態を示すものであり、（ａ）は組み付け前の断面図、（ｂ）はリング状ガイドのガイド片の斜面に沿って押圧翼のスライド片が押し込まれる状態を示す断面図、（ｃ）は押圧翼のスライド片が押し込まれた状態を示す断面図、（ｄ）は押圧翼に負荷がかかってスライド片がリング状ガイドのガイド片の下面に沿って移動する状態を示す断面図である。
【図１６】リング状ガイドとボトル保持部を組み付け、さらにＵ字状に形成した押圧翼を組み付けようとする状態を示す斜視図である。
【図１７】組み付け完了時の斜視図である。
【図１８】ボトル保持部に目薬容器を取り付けようとする段階の斜視図である。
【図１９】ボトル保持部に目薬容器を取り付けた上、押圧翼を手のひらで握る操作をしている状態の斜視図である。
【図２０】押圧翼の押圧用突起と目薬容器の位置関係を示す平面図である。
【図２１】てこの原理を説明するための概略平面図である。
【図２２】押圧翼を手のひらで握りしめようとする段階の概略平面図である。
【図２３】押圧翼の押圧用突起で目薬容器を押圧した状態の概略平面図である。
【図２４】手のひらで点眼補助具を握りしめて点眼する状態を示す概略説明図である。
【図２５】サポート部を示す側面図である。
【図２６】その断面図である。
【図２７】サポート部の概略斜視図である。
【図２８】その中央切断斜視図である。
【図２９】リング状ガイドとボトル保持部を組み付け、さらにその下部にサポート部を組み付けようとする状態を示す斜視図である。
【図３０】リング状ガイドを下部で水平に切断した状態の断面図である。
【図３１】リング状ガイドの当該箇所をサポート部に結合しようとする状態の斜視図である。
【図３２】リング状ガイドとボトル保持部を組み付け、さらにその下部にサポート部を組み付けた状態を示す斜視図である。
【図３３】さらにＵ字状に形成した押圧翼を組み付けようとする状態を示す斜視図である。
【図３４】組み付け完了時の斜視図である。
【図３５】ボトル保持部に目薬容器を取り付けようとする段階の概略断面図である。
【図３６】点眼補助具の使用状態を示すものであり、押圧翼に負荷をかけようとする段階の概略断面図である。
【図３７】押圧翼に負荷をかけて目薬容器を押圧用突起で押圧し、１滴の目薬が目に滴下される状態を示す概略断面図である。
【図３８】ボトル保持部が種々の目薬容器を取付け可能であることを示すものであり、（ａ）は目薬容器がボトル保持部の下部段差に係合している状態を、（ｂ）は目薬容器がボトル保持部の下部段差の上部に係合している状態を、（ｃ）は目薬容器がボトル保持部の複数の保持片のみに係合している状態を示す概略断面図である。
【発明を実施するための形態】
【００１８】
以下この発明の点眼補助具の実施の形態を図面に基いて詳細に説明する。
先ず本発明の点眼補助具は、支点部と、作用点部と、前記支点部と前記作用点部の距離よりも前記支点部からの距離が大きい力点部を有する押圧翼と、ボトル保持部とを備え、前記力点部に力を加えることにより、作用点部からボトル保持部に保持された薬液瓶に、加えた力よりも大きな力が加わることを特徴とするものである。
その上で、前記作用点部が動くことにより描かれる弧を含む面と、前記複数の保持片が形成する面とが略平行であることをも特徴としている。
以下にその第１の実施形態を図面に基いて詳細に説明する。
（第１の実施形態）
図１ないし図６は本発明の実施形態に係る点眼補助具１１を構成するリング状ガイド１２を表すものである。
図において筒状のリング状ガイド１２は、筒状本体１２ａと段差１２ｂを介して連結した細径部１２ｃとで構成されている。そしてこの細径部１２ｃの開口端１２ｄには外向きに所定間隔で一対の係合片１２ｅが突設されている。
なお、筒状のリング状ガイド１２の筒状本体１２ａの外周側には、所望の間隔で一対のガイド枠１３，１３が突設され、かつ前記ガイド枠１３，１３にはそれぞれガイド孔１４が上下に貫通して設けられている。１５は、前記リング状ガイド１２のガイド枠１３，１３内に外向きに突設したガイド片である。このガイド片１５の上面には下向きの傾斜面１５ａが形成され、またガイド片１５の下面には水平面１５ｂが形成されている。
また、前記リング状ガイド１２の外周側に所望の間隔で突設した一対のガイド枠１３，１３は、図５および図６に示すように、前記リング状ガイド１２の中心線より所望の角度α分ずらして配置されており、後述の押圧翼に負荷をかけた際に押圧用突起が正対するようになっている。
【００１９】
本実施形態において、前記ボトル保持部は、複数の保持片を備え、前記保持片が薬液瓶の首部を周囲から押さえつけることにより、薬液瓶を保持することを特徴としている。
また、弾性を有する複数の保持片を有し、前記保持片が薬液瓶の首部を周囲から押さえつけることにより、薬液瓶を保持するボトル保持部を備えたことをも特徴としている。
さらに、前記ボトル保持部は、円筒状本体を備え、前記保持片は、その一辺を円筒状本体と接続され、他の辺が薬液ボトルの首部に当接されることをも特徴とするものである。
そして、前記円筒状本体は、その内面が多段に形成されていることをも特徴とするものである。
このようなボトル保持部を図面に基いて詳細に説明する。
図７および図８は複数の切込み２１ｂで仕切られた複数の保持片２１ａを内向きに設けた筒状のボトル保持部２１を示すものであり、該ボトル保持部２１は前記リング状ガイド１２内に取り付けられて首部のサイズの異なる目薬容器を無理なく挿着することができるようになっている。
また前記ボトル保持部２１は、円筒状本体２１ｃを備え、該本体２１ｃの内周面を下方に向かって径を縮小させる方向に複数の段差２１ｄ，２１ｅを備えた多段に形成するとともに、下部の段差２１ｅから複数の切込み２１ｂで仕切られた複数の保持片２１ａを下つぼまりとなるよう垂下させてある。したがって、前記複数の保持片２１ａ内に首部のサイズの異なる目薬容器を挿着することができ、また各段差２１ｄ，２１ｅでも目薬容器の種々のサイズに対応できるようになっている。
もちろん、前記ボトル保持部２１としてサイズの異なる複数の種類を準備しておけば、適宜交換して首部のサイズの異なる目薬容器や微少点滴用ボトルにも迅速に対応することができる。
また、目薬容器の形状に合わせてさらに複数段の段差を備えた多段構造とすることもできる。
【００２０】
図９および図１０は前記リング状ガイド１２内にボトル保持部２１を複数の保持片２１ａが内向きとなるように取り付けた状態を示すものであり、該ボトル保持部２１の円筒状本体２１ｃは前記リング状ガイド１２の段差１２ｂに係合して固定されている。
【００２１】
図１１（ａ），（ｂ）および図１２（ａ），（ｂ）、図１３、図１４は前記リング状ガイド１２の前記ガイド枠１３，１３に取り付けられる、両端部をやや下向きに傾斜させた押圧翼２２を示すものである。
この押圧翼２２は所定の長さのバンド本体２２ａの側辺に、前記リング状ガイド１２に設けた一対のガイド枠１３，１３に対応してスライド片２３，２３が形成されており、スライド片２３，２３にはスライド孔２３ａが形成されている。
また押圧翼２２の内面側には適宜間隔で配置した一対の押圧用突起２４，２４が突設されている。該押圧用突起２４，２４は、バンド本体２２ａと一体に設けても、また取付取り外しが可能なように別体としてもよい。その場合には、長さの異なる複数の種類を用意しておけば、目薬容器のサイズ等に応じて適宜取り替えて使用することができる。
そして、前記スライド片２３，２３のスライド孔２３ａが前記リング状ガイド１２のガイド枠１３，１３内に設けたガイド片１５に係合するようになっている。すなわち、図１５（ａ）の状態から、図１５（ｂ）のように前記スライド片２３，２３をガイド枠１３，１３内に押し込むと、前記ガイド片１５の上面には下向きの傾斜面１５ａが形成されているため前記スライド片２３，２３は拡がるように下降し、先端に達して図１５（ｃ）のようにスライド孔２３ａが前記ガイド片１５に係合するようになる。その上で図１５（ｄ）のように前記スライド片２３，２３は元の状態に戻ろうとしてスライド孔２３ａはガイド片１５の下面の水平面１５ｂに沿ってスライドし、かつ前記ガイド片１５によって抜け止めされる。
その上で、前記押圧翼２２を握る操作をすると、前記スライド片２３，２３はガイド片１５に沿ってスライドし、前記押圧用突起２４，２４が目薬容器の容器本体を押圧して目薬容器から目薬がまぶたに点眼できるようになっている。
ちなみに、図５に示すように前記１対のガイド枠１３，１３は前記リング状ガイド１２の筒状本体１２ａの外周上に等しい間隔で取り付けられてはおらず、前記押圧用突起２４，２４が目薬容器の容器本体を押圧する位置において前記押圧用突起２４，２４どうしが正対するように、所定の角度αで押圧翼２２の両端側が開くように配置されている。
なお、前記ガイド片１５は上面を下向きに傾斜させてあるため、前記押圧翼２２のスライド片２３，２３を無理なく押し込むことができる。
図において２２ｂは、前記バンド本体２２ａの長さ方向の端部の外周側に形成した補強用リブであり、２２ｃは該補強用リブ２２ｂの内側に突設した複数の突条からなる滑り止めである。
【００２２】
図１６はこの押圧翼２２をＵ字状に成形した上、スライド片２３，２３を前記リング状ガイド１２のガイド枠１３，１３に係合する段階を示すものであり、図１７は組み付けが完了した状態を示すものである。
すなわち、前記リング状ガイド１２のガイド枠１３，１３のガイド孔１４内側には外向きにガイド片１５が突設されている。そしてガイド片１５の先端はガイド枠１３，１３の先端部分の内側とは切り離され、かつ高さもやや下側に形成されている。
したがって、前記スライド片２３，２３は前記リング状ガイド１２のガイド枠１３，１３のガイド片１５の先端部分から押し込むことにより係合され、簡単に外れることがない。
【００２３】
なお、本実施例ではこの段階において、すでに実用的に使用することができる。
すなわち、目薬容器３１を準備して図１８に示す状態から図１９に示すようにこの目薬容器３１を前記ボトル保持部２１内に装着する。
そして、手のひらで前記押圧翼２２を握る操作をすると、前記押圧用突起２４，２４が目薬容器３１の容器本体３１ａを押圧して目薬容器から目薬がまぶたに点眼できるようになるのである。
【００２４】
その際、前記押圧翼２２はてこの原理で動作する。すなわち、図２０のように前記押圧翼２２と目薬容器３１は当初は押圧用突起２４，２４の先端で接触している。その際、前記一対のガイド枠１３，１３は前記リング状ガイド１２（図示せず）の中心線より所望の角度α分ずらして配置されているため、前記押圧用突起２４，２４もα分ずれて目薬容器３１の表面に接触している。図２１にてこの原理における支点（押圧翼２２の中間部分）Ａ、作用点（押圧用突起２４，２４）Ｂ、力点（押圧翼２２の両側端部）Ｃの位置を示す。もちろん、Ａ−Ｂ＜Ｂ−Ｃの関係である。
したがって、図２２のように力点（押圧翼２２の両側端部）Ｃに負荷をかけると、図２３のように作用点（押圧用突起２４，２４）Ｂが目薬容器３１の容器本体３１ａに食い込むようになり、負荷を調節しながら例えば目薬の１滴を確実に点眼することができるようになる。
すなわち、図２４に示すように、前記押圧翼２２を持った状態で小指あるいは手首をほほに接して支えにしながら、手のひらで前記押圧翼２２を握る操作をすると、前記押圧用突起２４，２４が目薬容器３１の容器本体３１ａを押圧して目薬容器３１から目薬がまぶたに点眼できるようになるのである。
【００２５】
次に、前記ボトル保持部として、さらにまぶた周辺に当接されるサポート部を備えたことを特徴とするものである。
以下にその第２の実施形態を図面に基いて詳細に説明する。
（第２の実施形態）
図２５ないし図２８は第２の実施形態において用いられるサポート部２５を示すものであり、全体が逆カップ状で、カップの開口縁部分が下側開口部２５ａとなり、カップの底部分に上側開口部２５ｂが形成されている。上側開口部２５ｂには、所定の幅のフランジ部２６が形成されており、このフランジ部２６に前記リング状ガイド１２の下部にほぼ対称に形成した一対の係合片１２ｅを挿通させる凹部２７が形成されている。
したがって、図２９の前記リング状ガイド１２をサポート部２５から分離した段階から、図３０、図３１に示す前記一対の係合片１２ｅを、前記凹部２７に挿通した上、図３２に示すように前記リング状ガイド１２を回して前記係合片１２ｅを前記フランジ部２６に係合させることにより、ワンタッチで前記リング状ガイド１２とサポート部２５とを連結することができる。
【００２６】
また前記サポート部２５には、上端開口部２５ｂに設けたフランジ部２６の内周に係合溝２６ａが形成してあり、前記リング状ガイド１２に形成した一対の係合片１２ｅの間に突設した係合突起１２ｆを前記係合溝２６ａに係合させれば、前記サポート部２５と前記リング状ガイド１２とは簡単に回り止めする構造となるのである。
ちなみに、前記サポート部２５を透明で柔軟なプラスチック素材とすることにより、目薬を滴下する状態を目視で確認することができ、また第三者が使用者に点眼の位置を教えたりすることができるので安全で正確な点眼を行うことが可能となる。
本実施形態においてサポート部２５は、下側開口部２５ａをまぶたの周囲に接するように押し当てられ、この状態で前記押圧翼２２を握る操作をすると、前記押圧用突起２４，２４が目薬容器３１の容器本体を押圧して目薬容器３１から目薬がまぶたに正確に点眼できるようになるのである。
このサポート部２５も、長さの異なる複数の種類を用意しておけば、使用者の顔面の状況等に応じて適宜交換することができて便利である。
【００２７】
図３３ないし図３４は前記リング状ガイド１２の前記ガイド枠１３，１３に押圧翼２２を取り付ける状態を示すものである。すなわち、前記スライド片２３，２３は前記リング状ガイド１２のガイド枠１３，１３のガイド片１５の上面の傾斜面から押し込むことにより係合され、簡単に外れることがない。
もちろん、図３５の状態から図３６に示すように目薬容器３１を前記ボトル保持部２１に装着し、前記押圧翼２２を握る操作をすると、図３７に示すように前記押圧用突起２４，２４が目薬容器３１の容器本体３１ａを押圧して目薬容器３１から目薬がサポート部２５内に位置決めされたまぶたに正確に点眼することができる。
【００２８】
図３８は、ボトル保持部２１が内周に設けた多段構造により、種々の目薬容器３１を取付け可能であることを示すものであり、（ａ）は目薬容器３１の容器本体３１ａの上端がボトル保持部２１の下部段差２１ｅに係合している状態を、（ｂ）は目薬容器３１の容器本体３１ａの上端がボトル保持部２１の下部段差２１ｅの上部に係合している状態を、（ｃ）は目薬容器３１が容器本体３１ａ以外の部分でボトル保持部２１の複数の保持片２１ａのみに係合している状態を示すものである。
【００２９】
以下に本発明の点眼補助具のその他の効果を列挙する。
Ａ．従来の製品も目薬容器を押圧することで目薬（点眼液）を滴下するが、押圧力のコントロールが困難で滴下が困難、逆に多数摘が滴下するなど適正量の滴下が困難である。本発明では押圧翼を利用することで指圧力のコントロールが容易になり、滴下数も１滴に正確にコントロールすることが可能となる。
Ｂ．目薬容器の頭部形状は種類によって大きく異なるため、従来の点眼補助具の場合、利用可能な点眼容器に制限があったが、本発明ではリング状ガイドを装着したため、多数の点眼容器に対して対応が可能となり、ほとんどすべての点眼容器に対し使用が可能となった。
Ｃ．点眼容器は小型なものが多く、手指の生活動作能力が低下している利用者の場合、点眼容器の正確な把持が困難であったが、本発明では手全体での把持が可能な押圧翼によって、点眼容器をより正確な、またしっかりした把持が可能になった。
Ｄ．視機能の低下患者の場合、点眼容器の先端ノズルを正確に眼部に合わせることが困難であり、この補助として眼周囲に密着する装置が開発されている。しかしながら、眼周囲形状は個人差が大きく、また点眼容器先端を正確に眼部へ装着することには個人差が大きい。このため一律な形状では多数利用者には対応が困難である。本発明では、点眼容器のボトル保持部と眼周囲へのサポート部を脱着型として、より多数例の利用者が使用したいような工夫がなされている。
【産業上の利用可能性】
【００３０】
本発明は以上のように点眼補助具として説明したが、本発明の要旨を逸脱しない限り他の用途にも転用できることはいうまでもない。
【符号の説明】
【００３１】
１１  点眼補助具
１２  リング状ガイド
１２ａ  筒状本体
１２ｂ  段差
１２ｃ  細径部
１２ｄ  開口端
１２ｅ  係合片
１２ｆ  係合突起
１３  ガイド枠
１４  ガイド孔
１５  ガイド片
１５ａ  傾斜面
１５ｂ  水平面
２１  ボトル保持部
２１ａ  保持片
２１ｂ  切込み
２１ｃ  円筒状本体
２１ｄ  段差
２１ｅ  段差
２２  押圧翼
２２ａ  バンド本体
２２ｂ  補強用リブ
２２ｃ  滑り止め
２３  スライド片
２３ａ  スライド孔
２４  押圧用突起
２５  サポート部
２５ａ  下側開口部
２５ｂ  上側開口部
２６  フランジ部
２６ａ  係合溝
２７  凹部
３１  目薬容器
３１ａ  容器本体
α  角度
Ａ  支点
Ｂ  作用点
Ｃ  力点
【図１】
2018061623.tif 000003
【図２】
2018061623.tif 000004
【図３】
2018061623.tif 000005
【図４】
2018061623.tif 000006
【図５】
2018061623.tif 000007
【図６】
2018061623.tif 000008
【図７】
2018061623.tif 000009
【図８】
2018061623.tif 000010
【図９】
2018061623.tif 000011
【図１０】
2018061623.tif 000012
【図１１】
2018061623.tif 000013
【図１２】
2018061623.tif 000014
【図１３】
2018061623.tif 000015
【図１４】
2018061623.tif 000016
【図１５】
2018061623.tif 000017
【図１６】
2018061623.tif 000018
【図１７】
2018061623.tif 000019
【図１８】
2018061623.tif 000020
【図１９】
2018061623.tif 000021
【図２０】
2018061623.tif 000022
【図２１】
2018061623.tif 000023
【図２２】
2018061623.tif 000024
【図２３】
2018061623.tif 000025
【図２４】
2018061623.tif 000026
【図２５】
2018061623.tif 000027
【図２６】
2018061623.tif 000028
【図２７】
2018061623.tif 000029
【図２８】
2018061623.tif 000030
【図２９】
2018061623.tif 000031
【図３０】
2018061623.tif 000032
【図３１】
2018061623.tif 000033
【図３２】
2018061623.tif 000034
【図３３】
2018061623.tif 000035
【図３４】
2018061623.tif 000036
【図３５】
2018061623.tif 000037
【図３６】
2018061623.tif 000038
【図３７】
2018061623.tif 000039
【図３８】
2018061623.tif 000040